(57)【要約】【課題】必要な台数の端末装置に対して、端末装置が行う処理を制御する設定情報を容易に登録する。【解決手段】本発明に係る端末装置は、携帯可能であって、予め定められた処理を制御するための設定情報と、前記設定情報を記憶させる台数を示す設定台数情報とを少なくとも記憶する記憶媒体から、前記設定情報及び前記設定台数情報を取得する情報取得手段と、前記設定情報を記憶し得る設定情報記憶手段と、前記情報取得手段により取得された設定台数情報が、予め定められた条件を満たすか否かを判定する判定手段と、前記判定手段により、前記設定台数情報が予め定められた条件を満たすと判定された場合、前記情報取得手段により取得された設定情報を、前記設定情報記憶手段に記憶させるように制御する制御手段と、前記設定情報記憶手段に前記設定情報が記憶された場合、前記記憶媒体が記憶する設定台数情報を更新する更新手段とを有する。【選択図】図１
2014021947.tif 000002
【特許請求の範囲】
【請求項１】
携帯可能であって、予め定められた処理を制御するための設定情報と、前記設定情報を記憶させる台数を示す設定台数情報とを少なくとも記憶する記憶媒体に記憶された設定情報及び設定台数情報を取得する情報取得手段と、
前記設定情報を記憶し得る設定情報記憶手段と、
前記情報取得手段により取得された設定台数情報が、予め定められた条件を満たすか否かを判定する判定手段と、
前記判定手段により、前記設定台数情報が予め定められた条件を満たすと判定された場合、前記情報取得手段により取得された設定情報を、前記設定情報記憶手段に記憶させるように制御する制御手段と、
前記設定情報記憶手段に前記設定情報が記憶された場合、前記記憶媒体が記憶する設定台数情報を更新する更新手段と
を有する端末装置。
【請求項２】
前記予め定められた条件は、前記設定台数情報が示す台数が０より大きいことを示し、
前記更新手段は、前記設定情報記憶手段に前記設定情報が記憶された場合、前記記憶媒体が記憶する設定台数情報が示す台数を１減らした数に更新する
請求項１に記載の端末装置。
【請求項３】
前記設定台数情報が示す台数の初期値は０を示し、
前記予め定められた条件は、前記設定台数情報が示す台数が、予め定められた１以上の数よりも小さいことを示し、
前記更新手段は、前記設定情報記憶手段に前記設定情報が記憶された場合、前記記憶媒体が記憶する設定台数情報が示す台数を１増やした数に更新する
請求項１に記載の端末装置。
【請求項４】
前記設定情報は、前記設定情報を一意に識別する識別情報をさらに含み、
前記判定手段は、前記識別情報と同一の識別情報が、前記設定情報記憶手段に記憶されているか否かを判定し、
前記制御手段は、前記判定手段により前記識別情報と同一の識別情報が前記設定情報記憶手段に記憶されていないと判定された場合、前記情報取得手段により取得された設定情報を、前記設定情報記憶手段に記憶させるように制御する
請求項１〜３のいずれかに記載の端末装置。
【請求項５】
前記記憶媒体は、前記記憶媒体が前記設定情報記憶手段に前記設定情報を記憶させるための設定用記憶媒体であるか否かを判定するために用いられる記憶媒体判定情報をさらに記憶し、
前記情報取得手段は、前記記憶媒体に記憶された記憶媒体判定情報をさらに取得し、
前記判定手段は、前記情報取得手段により取得された記憶媒体判定情報に基づいて、前記記憶媒体が前記設定用記憶媒体であるか否かをさらに判定し、
前記制御手段は、前記判定手段により前記記憶媒体が前記設定用記憶媒体であると判定された場合、前記情報取得手段により取得された設定情報を、前記設定情報記憶手段に記憶させるように制御する
請求項１〜４のいずれかに記載の端末装置。
【請求項６】
携帯可能であり、
端末装置が行う予め定められた処理を制御するための設定情報と、前記設定情報を記憶させる前記端末装置の台数を示す設定台数情報とを少なくとも記憶し、
前記端末装置により前記設定情報及び前記設定台数情報が読み出され、
前記読み出された設定台数情報が、予め定められた条件を満たす場合、前記読み出された設定情報が、前記端末装置の設定情報記憶手段に記憶され、
前記設定情報記憶手段に前記設定情報が記憶された場合、前記記憶する設定台数情報が更新される
記憶媒体。
【請求項７】
端末装置と、前記端末装置が行う予め定められた処理を制御するための設定情報と、前記設定情報を記憶させる前記端末装置の台数を示す設定台数情報とを少なくとも管理する情報管理装置とを有し、
前記情報管理装置は、携帯可能な記憶媒体に前記設定情報と、前記設定台数情報とを記憶させ、
前記端末装置は、
前記記憶媒体に記憶された前記設定情報及び前記設定台数情報を取得する情報取得手段と、
前記設定情報を記憶し得る設定情報記憶手段と、
前記情報取得手段により取得された設定台数情報が、予め定められた条件を満たすか否かを判定する判定手段と、
前記判定手段により、前記設定台数情報が予め定められた条件を満たすと判定された場合、前記情報取得手段により取得された設定情報を、前記設定情報記憶手段に記憶させるように制御する制御手段と、
前記設定情報記憶手段に前記設定情報が記憶された場合、前記記憶媒体が記憶する設定台数情報を更新する更新手段と
を有する
設定情報登録システム。
【請求項８】
携帯可能であって、端末装置が行う予め定められた処理を制御するための設定情報と、前記設定情報を記憶させる前記端末装置の台数を示す設定台数情報とを少なくとも記憶する記憶媒体に記憶された設定情報及び設定台数情報を取得する情報取得ステップと、
前記情報取得ステップで取得された設定台数情報が、予め定められた条件を満たすか否かを判定する判定ステップと、
前記判定ステップで、前記設定台数情報が予め定められた条件を満たすと判定された場合、前記情報取得ステップで取得された設定情報を、前記端末装置が有する設定情報記憶手段に記憶させるように制御する制御ステップと、
前記設定情報記憶手段に前記設定情報が記憶された場合、前記記憶媒体が記憶する設定台数情報を更新する更新ステップと
をコンピュータに実行させるプログラム。
【発明の詳細な説明】
【技術分野】
【０００１】
本発明は、端末装置、記憶媒体、設定情報登録システム及びプログラムに関する。
【背景技術】
【０００２】
例えば、特許文献１は、新たな装置を追加することなく、決済端末装置に対する設置情報を登録する設置情報登録システムを開示する。
【先行技術文献】
【特許文献】
【０００３】
【特許文献１】特開２０１０−１３４６７６号公報
【発明の概要】
【発明が解決しようとする課題】
【０００４】
本発明は、必要な台数の端末装置に対して、端末装置の処理を制御するための設定情報を、容易に登録することができる端末装置、記憶媒体、設定情報登録システム及びプログラムを提供することを目的とする。
【課題を解決するための手段】
【０００５】
請求項１に係る本発明は、携帯可能であって、予め定められた処理を制御するための設定情報と、前記設定情報を記憶させる台数を示す設定台数情報とを少なくとも記憶する記憶媒体に記憶された設定情報及び設定台数情報を取得する情報取得手段と、前記設定情報を記憶し得る設定情報記憶手段と、前記情報取得手段により取得された設定台数情報が、予め定められた条件を満たすか否かを判定する判定手段と、前記判定手段により、前記設定台数情報が予め定められた条件を満たすと判定された場合、前記情報取得手段により取得された設定情報を、前記設定情報記憶手段に記憶させるように制御する制御手段と、前記設定情報記憶手段に前記設定情報が記憶された場合、前記記憶媒体が記憶する設定台数情報を更新する更新手段とを有する端末装置である。
【０００６】
請求項２に係る本発明は、前記予め定められた条件は、前記設定台数情報が示す台数が０より大きいことを示し、前記更新手段は、前記設定情報記憶手段に前記設定情報が記憶された場合、前記記憶媒体が記憶する設定台数情報が示す台数を１減らした数に更新する請求項１に記載の端末装置である。
【０００７】
請求項３に係る本発明は、前記設定台数情報が示す台数の初期値は０を示し、前記予め定められた条件は、前記設定台数情報が示す台数が、予め定められた１以上の数よりも小さいことを示し、前記更新手段は、前記設定情報記憶手段に前記設定情報が記憶された場合、前記記憶媒体が記憶する設定台数情報が示す台数を１増やした数に更新する請求項１に記載の端末装置である。
【０００８】
請求項４に係る本発明は、前記設定情報は、前記設定情報を一意に識別する識別情報をさらに含み、前記判定手段は、前記識別情報と同一の識別情報が、前記設定情報記憶手段に記憶されているか否かを判定し、前記制御手段は、前記判定手段により前記識別情報と同一の識別情報が前記設定情報記憶手段に記憶されていないと判定された場合、前記情報取得手段により取得された設定情報を、前記設定情報記憶手段に記憶させるように制御する請求項１〜３のいずれかに記載の端末装置である。
【０００９】
請求項５に係る本発明は、前記記憶媒体は、前記記憶媒体が前記設定情報記憶手段に前記設定情報を記憶させるための設定用記憶媒体であるか否かを判定するために用いられる記憶媒体判定情報をさらに記憶し、前記情報取得手段は、前記記憶媒体に記憶された記憶媒体判定情報をさらに取得し、前記判定手段は、前記情報取得手段により取得された記憶媒体判定情報に基づいて、前記記憶媒体が前記設定用記憶媒体であるか否かをさらに判定し、前記制御手段は、前記判定手段により前記記憶媒体が前記設定用記憶媒体であると判定された場合、前記情報取得手段により取得された設定情報を、前記設定情報記憶手段に記憶させるように制御する請求項１〜４のいずれかに記載の端末装置である。
【００１０】
請求項６に係る本発明は、携帯可能であり、端末装置が行う予め定められた処理を制御するための設定情報と、前記設定情報を記憶させる前記端末装置の台数を示す設定台数情報とを少なくとも記憶し、前記端末装置により前記設定情報及び前記設定台数情報が読み出され、前記読み出された設定台数情報が、予め定められた条件を満たす場合、前記読み出された設定情報が、前記端末装置の設定情報記憶手段に記憶され、前記設定情報記憶手段に前記設定情報が記憶された場合、前記記憶する設定台数が更新される記憶媒体である。
【００１１】
請求項７に係る本発明は、端末装置と、前記端末装置が行う予め定められた処理を制御するための設定情報と、前記設定情報を記憶させる前記端末装置の台数を示す設定台数情報とを少なくとも管理する情報管理装置とを有し、前記情報管理装置は、携帯可能な記憶媒体に前記設定情報と、前記設定台数情報とを記憶させ、前記端末装置は、前記記憶媒体に記憶された前記設定情報及び前記設定台数情報を取得する情報取得手段と、前記設定情報を記憶し得る設定情報記憶手段と、前記情報取得手段により取得された設定台数情報が、予め定められた条件を満たすか否かを判定する判定手段と、前記判定手段により、前記設定台数情報が予め定められた条件を満たすと判定された場合、前記情報取得手段により取得された設定情報を、前記設定情報記憶手段に記憶させるように制御する制御手段と、前記設定情報記憶手段に前記設定情報が記憶された場合、前記記憶媒体が記憶する設定台数情報を更新する更新手段とを有する設定情報登録システムである。
【００１２】
請求項８に係る本発明は、携帯可能であって、端末装置が行う予め定められた処理を制御するための設定情報と、前記設定情報を記憶させる前記端末装置の台数を示す設定台数情報とを少なくとも記憶する記憶媒体に記憶された設定情報及び設定台数情報を取得する情報取得ステップと、前記情報取得ステップで取得された設定台数情報が、予め定められた条件を満たすか否かを判定する判定ステップと、前記判定ステップで、前記設定台数情報が予め定められた条件を満たすと判定された場合、前記情報取得ステップで取得された設定情報を、前記端末装置が有する設定情報記憶手段に記憶させるように制御する制御ステップと、前記設定情報記憶手段に前記設定情報が記憶された場合、前記記憶媒体が記憶する設定台数情報を更新する更新ステップとをコンピュータに実行させるプログラムである。
【発明の効果】
【００１３】
請求項１に係る本発明によれば、本発明の構成を有しない場合と比較して、必要な台数に対して、予め定められた処理を制御するための設定情報を、さらに容易に登録する端末装置を提供することができる。
【００１４】
請求項２に係る本発明によれば、請求項１に係る発明の効果に加えて、必要な台数を容易に管理する端末装置を提供することができる。
【００１５】
請求項３に係る本発明によれば、請求項１に係る発明の効果に加えて、必要な台数を容易に管理する端末装置を提供することができる。
【００１６】
請求項４に係る本発明によれば、請求項１〜３のいずれかに係る発明の効果に加えて、設定情報の二重登録を防止する端末装置を提供することができる。
【００１７】
請求項５に係る本発明によれば、請求項１〜４のいずれかに係る発明の効果に加えて、許可されていない設定情報の登録を防止する端末装置を提供することができる。
【００１８】
請求項６に係る本発明によれば、本発明の構成を有しない場合と比較して、必要な台数の端末装置に対して、端末装置の処理を制御するための設定情報を、さらに容易に登録する記憶媒体を提供することができる。
【００１９】
請求項７に係る本発明によれば、本発明の構成を有しない場合と比較して、必要な台数の端末装置に対して、端末装置の処理を制御するための設定情報を、さらに容易に登録する設定情報登録システムを提供することができる。
【００２０】
請求項８に係る本発明によれば、本発明の構成を有しない場合と比較して、必要な台数の端末装置に対して、端末装置の処理を制御するための設定情報を、さらに容易に登録するプログラムを提供することができる。
【図面の簡単な説明】
【００２１】
【図１】本実施形態に係る設定情報登録システムの構成を例示する図である。
【図２】図１に示した端末装置のハードウェア構成を例示する図である。
【図３】図１及び図２に示した端末装置上で実行されるプログラムの構成を例示する図である。
【図４】図３に示したプログラムの構成による設定情報登録処理を例示するフローチャートである。
【図５】図１に示した設定情報登録システムの動作例を示すシーケンス図である。
【発明を実施するための形態】
【００２２】
以下、本発明の実施形態を説明する。
【００２３】
［設定情報登録システム］
図１は、本発明の実施形態の実現に用いられる設定情報登録システム１の構成を例示する図である。
図１に示すように、設定情報登録システム１は、予め定められた処理（例えば、決済処理や認証処理）を行う端末装置１２−１〜１２−ｎ（ｎ≧１；ただし、全てのｎが常に同数を示すとは限らない）、端末装置１２−１〜１２−ｎが行う処理を制御するための設定情報を含む後述する設置情報を管理する設置情報管理装置１４及びＩＣカード２０から構成される。
設置情報管理装置１４に接続されたＩＣカードリーダ／ライタ１６を介して、設置情報管理装置１４が管理する設置情報が、ＩＣカード２０に書き込まれ、記憶される。
また、端末装置１２−１〜１２−ｎにそれぞれ接続されたＩＣカードリーダ／ライタ１８−１〜１８−ｎを介して、ＩＣカード２０に記憶されている設置情報が読み取られる。
【００２４】
設定情報登録システム１は、これらの構成部分により、各装置がネットワークを介して接続されていない環境において、必要な台数の端末装置に対して、容易に設定情報を登録する。
なお、以下、端末装置１２−１〜１２−ｎなど、複数ある構成部分のいずれかを示すときは、単に、端末装置１２と記載することがある。
また、各図において、実質的に同じ構成部分・処理には、同じ符号が付される。
【００２５】
［ハードウェア構成］
図２は、図１に示した端末装置１２のハードウェア構成を例示する図である。
図２に示すように、端末装置１２は、ＣＰＵ１２２及びメモリ１２４などを含む本体１２０、タッチパネル及び表示装置などを含む入出力装置１２６、決済処理などを行う際に必要な連携ソフトを有する連携装置（図示せず）などとデータ通信を行うための通信装置１２８、ＩＣカードリーダ／ライタ１８、及び、ＨＤ，ＣＤ，ＤＶＤ，ＦＤ，不揮発性メモリ，ＵＳＢメモリなどの記憶媒体１３２に対してデータの書き込み及び読み出しを行う記録装置１３０などから構成される。
つまり、端末装置１２は、データの読み取り、登録などの情報処理及び他の装置とのデータ通信が可能なコンピュータとしての構成部分を有している。
【００２６】
［設置情報］
以下、ＩＣカード２０（図１）が記憶する設置情報を説明する。
設置情報は、カード判定情報、設定情報及び設定台数情報を含む。
カード判定情報は、ＩＣカード２０が、端末装置１２に対する設定情報の登録に用いられる設定用ＩＣカードであるか否かを判定するために用いられる。
例えば、カード判定情報は、設定情報の設定者のＩＤ及びパスワードを含む。
【００２７】
設定情報は、端末装置１２（図１）が行う処理を制御するための設定内容を示す。
例えば、端末装置１２がサービスに対する課金などの決済処理を行う決済端末装置である場合、設定情報は、課金単価情報（印刷サービスの場合、カラー印刷、モノクロ印刷、印刷枚数、印刷サイズなどに応じた単価情報）、使用者認証の要否、設定情報を一意に識別する識別情報（例えば、管理番号）、決済処理などを行う際に必要な連携ソフトの情報、連携ソフトを有する連携装置のＩＰアドレスなどを含む。
【００２８】
上述の設定情報に含まれる使用者認証の要否が、必要であることを示す場合、使用者は、端末装置１２で提供されるサービスを利用するために、使用者の認証情報（例えば、ユーザＩＤ）を記憶するＩＣカードなどを使用する必要がある。
一方、使用者認証の要否が、不要であることを示す場合、使用者は、使用者の認証情報を記憶しないプリペイドカードなどを使用することもできる。
【００２９】
設定台数情報は、ＩＣカード２０（図１）に記憶されている設定情報を登録できる端末装置１２の台数を示す。
つまり、例えば、１台の端末装置１２に設定情報が登録されるたびに、設定台数情報が示す台数を１減らし、設定台数情報が示す台数が０になると、それ以上端末装置１２に対して設定情報を登録できない。
設定台数情報が示す台数を１減らす代わりに、例えば、設定台数情報の初期値を０とし、１台の端末装置１２に設定情報が登録されるたびに、設定台数情報が示す台数を１増やすようにしてもよい。
この場合、設定台数情報が示す台数が予め定められた数になると、それ以上端末装置１２に対して設定情報を登録できない。
なお、設定台数情報は、設置情報管理装置１４などを介して、設定者により適宜変更され得る。
【００３０】
［設定情報登録プログラム３０］
図３は、図１及び図２に示した端末装置１２上で実行される設定情報登録プログラム３０の構成を例示する図である。
図３に示すように、設定情報登録プログラム３０は、情報取得部３００、カード判定情報記憶部３０２、判定部３０４、制御部３０６、設定情報記憶部３０８、エラー出力部３１０及び更新部３１２から構成される。
【００３１】
設定情報登録プログラム３０は、例えば、記憶媒体１３２（図２）を介して端末装置１２のメモリ１２４にロードされ、端末装置１２で動作するＯＳ（図示せず）上で、端末装置１２のハードウェア資源を具体的に利用して実行される。
設定情報登録プログラム３０は、ＩＣカードリーダ／ライタ１８を介してＩＣカード２０から読み取られた設置情報に基づいて、設定情報の登録可否を判定し、判定結果に応じて設定情報登録処理などを行う。
【００３２】
情報取得部３００は、ＩＣカードリーダ／ライタ１８を介して読み取られたＩＣカード２０（図１）が記憶する設置情報を取得して、判定部３０４及び制御部３０６に対して出力する。
カード判定情報記憶部３０２には、この端末装置１２の設定権限を有する設定者のＩＤ及びパスワードが予め記憶され、判定部３０４により参照される。
【００３３】
判定部３０４は、ＩＣカード２０が、設定用ＩＣカードか否かを判定する。
具体的には、判定部３０４は、情報取得部３００から入力された設置情報に含まれるカード判定情報のＩＤ及びパスワードが、カード判定情報記憶部３０２に記憶されているＩＤ及びパスワードと一致するか否かを判定する。
また、判定部３０４は、判定結果に応じて、エラー出力部３１０に対して対応する処理を行うよう通知する（図４を参照して詳述）。
【００３４】
また、判定部３０４は、後述する設定情報記憶部３０８を参照して、情報取得部３００から入力された設置情報に含まれる設定情報に基づいて、設定情報の登録可否を判定し、判定結果に応じて、エラー出力部３１０に対して対応する処理を行うよう通知する（図４を参照して詳述）。
また、判定部３０４は、情報取得部３００から入力された設置情報に含まれる設定情報及び設定台数情報に基づいて、設定情報の登録可否を判定し、判定結果に応じて、制御部３０６又はエラー出力部３１０に対して対応する処理を行うよう通知する（図４を参照して詳述）。
【００３５】
制御部３０６は、情報取得部３００から入力された設置情報に含まれる設定情報を、設定情報記憶部３０８に記憶させて登録するよう制御する。
また、制御部３０６は、情報取得部３００から入力された設置情報に含まれる設定台数情報が示す台数を１減らして、更新部３１２に対して出力する。
【００３６】
設定情報記憶部３０８は、制御部３０６から入力された設定情報を、判定部３０４が参照可能に記憶する。
エラー出力部３１０は、判定部３０４による通知に応じて、対応するエラーメッセージなどを、入出力装置１２６（図２）に表示させる（図４を参照して詳述）。
更新部３１２は、ＩＣカードリーダ／ライタ１８を介して、ＩＣカード２０（図１）が記憶する設定台数情報を、制御部３０６から入力された設定台数情報に更新する。
【００３７】
［設定情報登録処理］
図４は、図３に示した設定情報登録プログラム３０の各構成による設定情報登録処理を例示するフローチャートである。
以下、各構成による設定情報登録処理をさらに説明する。
ステップ３４０（Ｓ３４０）において、判定部３０４（図３）は、ＩＣカード２０（図１）に記憶されているカード判定情報を取得する。
【００３８】
ステップ３４２（Ｓ３４２）において、判定部３０４は、Ｓ３４０において取得したカード判定情報及びカード判定情報記憶部３０２に記憶されているＩＤ及びパスワードに基づいて、上述のように、ＩＣカード２０が設定用ＩＣカードであるか否かを判定する。
判定部３０４が、ＩＣカード２０は設定用ＩＣカードであると判定した場合、判定部３０４及び制御部３０６は、Ｓ３４４の処理を開始し、それ以外の場合、エラー出力部３１０は、Ｓ３４６の処理を開始する。
【００３９】
ステップ３４４（Ｓ３４４）において、判定部３０４及び制御部３０６は、情報取得部３００（図３）から入力された設置情報に含まれる設定情報及び設定台数情報を取得する。
ステップ３４６（Ｓ３４６）において、エラー出力部３１０は、ＩＣカード２０が設定用ＩＣカードではない旨のエラーメッセージなどを出力し、処理を終了する。
【００４０】
ステップ３４８（Ｓ３４８）において、判定部３０４は、Ｓ３４４において取得した設定情報に含まれる管理番号と同一の管理番号が、設定情報記憶部３０８にすでに記憶されているか否かを判定する。
判定部３０４が、同一の管理番号が記憶されている（つまり、Ｓ３４４において取得した設定情報がすでに登録されている）と判定した場合、エラー出力部３１０（図３）は、Ｓ３５０の処理を開始し、それ以外の場合、判定部３０４は、Ｓ３５２の処理に進む。
【００４１】
ステップ３５０（Ｓ３５０）において、エラー出力部３１０は、ＩＣカード２０（図１）に記憶されている設定情報が、この端末装置１２においてすでに登録済みである旨のエラーメッセージなどを出力し、処理を終了する。
ステップ３５２（Ｓ３５２）において、判定部３０４は、Ｓ３４４において取得した設定台数情報が示す台数が、０より大きいか否かを判定する。
判定部３０４が、設定台数情報が示す台数が０より大きいと判定した場合、制御部３０６は、Ｓ３５６の処理を開始し、それ以外の場合、エラー出力部３１０は、Ｓ３５４の処理を開始する。
【００４２】
ステップ３５４（Ｓ３５４）において、エラー出力部３１０は、ＩＣカード２０（図１）に記憶されている設定情報を登録できる端末装置１２の台数がオーバーしている旨のエラーメッセージなどを出力し、処理を終了する。
ステップ３５６（Ｓ３５６）において、制御部３０６（図３）は、Ｓ３４４で取得した設定情報を設定情報記憶部３０８に登録するよう制御する。
ステップ３５８（Ｓ３５８）において、制御部３０６は、Ｓ３４４で取得した設定台数情報が示す台数を１減らす。
【００４３】
ステップ３６０（Ｓ３６０）において、更新部３１２（図３）は、ＩＣカード２０（図１）の設定台数情報が示す台数を、Ｓ３５８において１減らした台数の設定台数情報に更新して、処理を終了する。
なお、図４に示したフローチャートにおけるステップの順序は、これに限定されるものではなく、適宜変更されてもよい。
【００４４】
［設定情報登録システム１の動作例］
図５は、図１に示した設定情報登録システム１の動作例を示すシーケンス図である。
以下、設定情報登録システム１の動作例を、さらに説明する。
なお、本動作例においては、３台の端末装置１２−１〜１２−３が存在し、設定情報に含まれる管理番号が「１」、設定台数情報が「２」の場合を具体例として説明するが、これに限定されるものではない。
【００４５】
ステップ４００（Ｓ４００）において、設置情報管理装置１４は、ＩＣカードリーダ／ライタ１６（図１）を介して、ＩＣカード２０に対して、設置情報を書き込む。
ステップ４０２（Ｓ４０２）において、ＩＣカード２０がかざされたＩＣカードリーダ／ライタ１８（図１）と接続する端末装置１２−１は、ＩＣカード２０から設置情報を読み出す。
ステップ４０４（Ｓ４０４）において、端末装置１２−１は、Ｓ４０２において読み出した設置情報に基づいて、設定用ＩＣカードであるか否か及び設定情報の登録可否を判定する。
【００４６】
端末装置１２−１に対して、まだ設定情報が登録されておらず、設定台数情報は「２」を示しているので、ステップ４０６（Ｓ４０６）において、端末装置１２−１は、Ｓ４０２において読み出した設置情報に含まれる設定情報（管理情報「１」）を登録する。
ステップ４０８（Ｓ４０８）において、端末装置１２−１は、設定台数情報を「２」から「１」に更新して、ＩＣカードリーダ／ライタ１８を介して、ＩＣカード２０（図１）に対して書き出す。
【００４７】
ステップ４１０（Ｓ４１０）において、ＩＣカード２０がかざされたＩＣカードリーダ／ライタ１８（図１）と接続する端末装置１２−２は、ＩＣカード２０から設置情報を読み出す。
ステップ４１２（Ｓ４１２）において、端末装置１２−２は、Ｓ４１０において読み出した設置情報に基づいて、設定用ＩＣカードであるか否か及び設定情報の登録可否を判定する。
【００４８】
端末装置１２−２に対して、まだ設定情報が登録されておらず、設定台数情報は「１」を示しているので、ステップ４１４（Ｓ４１４）において、端末装置１２−２は、Ｓ４１０において読み出した設置情報に含まれる設定情報（管理情報「１」）を登録する。
ステップ４１６（Ｓ４１６）において、端末装置１２−２は、設定台数情報を「１」から「０」に更新して、ＩＣカードリーダ／ライタ１８を介して、ＩＣカード２０（図１）に対して書き出す。
【００４９】
ステップ４１８（Ｓ４１８）において、ＩＣカード２０がかざされたＩＣカードリーダ／ライタ１８（図１）と接続する端末装置１２−１は、ＩＣカード２０から設置情報を読み出す。
ステップ４２０（Ｓ４２０）において、端末装置１２−１は、Ｓ４１８において読み出した設置情報に基づいて、設定用ＩＣカードであるか否か及び設定情報の登録可否を判定する。
【００５０】
端末装置１２−２に対しては、すでに管理情報「１」の設定情報が登録されているので、ステップ４２２（Ｓ４２２）において、端末装置１２−１は、管理情報「１」の設定情報をすでに登録済みである旨のエラーメッセージを表示する。
ステップ４２４（Ｓ４２４）において、ＩＣカード２０がかざされたＩＣカードリーダ／ライタ１８（図１）と接続する端末装置１２−３は、ＩＣカード２０から設置情報を読み出す。
【００５１】
ステップ４２６（Ｓ４２０）において、端末装置１２−３は、Ｓ４２４において読み出した設置情報に基づいて、設定用ＩＣカードであるか否か及び設定情報の登録可否を判定する。
Ｓ４２４において読み出した設置情報に含まれる設定台数情報が「０」を示すので、ステップ４２８（Ｓ４２８）において、端末装置１２−３は、設定情報の登録台数オーバーを示す旨のエラーメッセージを表示する。
【００５２】
［変形例］
端末装置１２（図１，図２）が、認証処理を行う認証装置の場合は、例えば、設定情報には、使用者の認証情報（例えば、ユーザＩＤ及びパスワード）の一覧が含まれ、端末装置１２は、設定情報に含まれる認証情報の一覧に対応する使用者を認証する。
【００５３】
なお、本実施形態においては、設定情報登録システム１（図１）の設置情報管理装置１４及び端末装置１２は、互いにネットワークを介して接続されていないが、ネットワークを介して接続されている場合であっても、本実施形態を実現することができる。
また、本実施形態においては、ＩＣカードリーダ／ライタ１６，１８を介して、ＩＣカード２０（図１）に対して設置情報を読み書きしているが、このような構成に限定されるものではなく、例えば、ＵＳＢポートを介して、ＵＳＢメモリに対して設置情報を読み書きするなど、設置情報を記憶する携帯可能な記録媒体に対して情報を読み書きできる構成であればよい。
【符号の説明】
【００５４】
１・・・設定情報登録システム，
１２・・・端末装置，
１２０・・・本体，
１２２・・・ＣＰＵ，
１２４・・・メモリ，
１２６・・・入出力装置，
１２８・・・通信装置，
１３０・・・記録装置，
１３２・・・記憶媒体，
１４・・・設置情報管理装置，
１６，１８・・・ＩＣカードリーダ／ライタ，
２０・・・ＩＣカード，
３０・・・設定情報登録プログラム，
３００・・・情報取得部，
３０２・・・カード判定情報記憶部，
３０４・・・判定部，
３０６・・・制御部，
３０８・・・設定情報記憶部，
３１０・・・エラー出力部，
３１２・・・更新部
【図１】
2014021947.tif 000003
【図２】
2014021947.tif 000004
【図３】
2014021947.tif 000005
【図４】
2014021947.tif 000006
【図５】
2014021947.tif 000007